(57)【要約】【課題】屋外構造物を建物の陸屋根上に強固且つ容易に設置することができ、また長期に亘って確実に屋外構造物を設置できる屋外構造物の取付用基台を提供する。【解決手段】屋外構造物の取付用基台を、上方側フランジ1a上に屋外構造物を支持する支持部材が取り付けられる穴加工が施されていないＨ形鋼１と、Ｈ形鋼１を土台Ｚ上に固定するための固定部材２とから構成させ、更に固定部材２を、土台Ｚに立設されたアンカーボルトＹが挿通される長穴が幅方向の中央部であって長手方向に沿って形成されている天板と天板の長手方向と平行な両端部からそれぞれ下向きに直角に折曲されている一対の側板3bとから成るＨ形鋼押さえ部材３と、アンカーボルトＹに螺合されるナット４とから構成させて、Ｈ形鋼押さえ部材３の側板3bに、Ｈ形鋼１の下方側フランジ1bの上面を押さえ付ける爪部５と、土台Ｚの上面に当接されるスカート部６とを設ける。【選択図】図２
2011106203.tif 000002
【特許請求の範囲】
【請求項１】
建物の陸屋根(Ｘ)上に設置固定されていて上面にアンカーボルト(Ｙ)が立設されている土台(Ｚ)上にそれぞれ載置される、上方側フランジ(1a)上に屋外構造物を支持する支持部材が取り付けられる穴加工が施されていないＨ形鋼(１)と、該Ｈ形鋼(１)を該土台(Ｚ)上に固定するための固定部材(２)とから成る屋外構造物の取付用基台であって、
該固定部材(２)が、該土台(Ｚ)に立設されたアンカーボルト(Ｙ)が挿通される長穴(3aa)が幅方向の中央部であって長手方向に沿って形成されている天板(3a)と該天板(3a)の長手方向と平行な両端部からそれぞれ下向きに直角に折曲されている一対の側板(3b)とから成るＨ形鋼押さえ部材(３)と、該アンカーボルト(Ｙ)に螺合されるナット(４)とから構成されており、該Ｈ形鋼押さえ部材(３)の側板(3b)が長手方向の一方の端部下端に該Ｈ形鋼(１)の下方側フランジ(1b)の上面を押さえ付ける爪部(５)を、長手方向の他方の端部に該土台(Ｚ)の上面に当接されるスカート部(６)をぞれぞれ有していることを特徴とする屋外構造物の取付用基台。
【請求項２】
Ｈ形鋼押さえ部材(３)の天板(3a)上に載置される長方形状で且つ中央にアンカーボルト挿通用の穴(7aa)が穿設されている基板部(7a)と、該基板部(7a)の対向する一対の端部からそれぞれ下向きに直角に折曲されていて該Ｈ形鋼押さえ部材(３)の側板(3b)の表面を覆うように位置せしめられる第一折曲部(7b)と、該基板部(7a)の対向する他の一対の端部からそれぞれ上向きに直角に折曲された第二折曲部(7c)とから成る固定部材用補強材(７)を更に有する請求項１に記載の屋外構造物の取付用基台。
【発明の詳細な説明】
【技術分野】
【０００１】
本発明は、屋外構造物を建物の陸屋根上に強固且つ容易に設置することができ、また長期に亘って確実に屋外構造物を設置できる屋外構造物の取付用基台に関するものである。
【背景技術】
【０００２】
建物の陸屋根のスペースを有効活用すべく、近年では陸屋根上にソーラーパネルや屋上緑化パネル等の屋外構造物が取り付けられることが多い。このような屋外構造物は重量物であるため、支持部材等で支えた状態で陸屋根上に強固に固定する必要がある。
【０００３】
このような屋外構造物がソーラーパネルである場合の屋根への取付装置としては、屋根にその勾配方向に沿って間隔をあけて固定される、固定ボルトが垂直に固定された固定部材と、前記固定部材により屋根にその勾配方向に沿って固定されるＣ形鋼からなる縦フレームと、前記縦フレーム上にこれと直交して固定される、ハット形鋼からなる横フレームと、最上段の前記横フレームと屋根の棟との間に取り付けられる棟カバーとを備えたソーラーパネル取付装置がある（例えば、特許文献１参照。）。
【０００４】
このソーラーパネル取付装置では、傾斜屋根上に設置された固定部材（土台）に固定ボルトが立設されていて、この固定ボルトにソーラーパネル取付用の基材である縦フレームが固定される。この基材である縦フレームには更に横フレーム等が固定されてソーラーパネルが固定されるのである。
【０００５】
しかしながら、このソーラーパネル取付装置では、取付用の基材である縦フレームにボルト孔が穿設されていて（特許文献１の図１参照）、このボルト孔に固定部材から立設された固定ボルトが直接挿通されて固定されるため、固定ボルトと接触するボルト孔においてさびが発生しやすく、その腐食によって長期に亘って屋外構造物を安定して設置することが難しいという問題がある。また縦フレームには固定ボルトを貫通させる複数のボルト孔を加工する必要があり、縦フレームはその複数のボルト孔に同時に複数の固定ボルトを挿通して取り付けられるため、１つのボルト孔でもボルトとの位置がずれていると縦フレームを取り付けることが困難となるから、固定ボルトの位置決めや縦フレームのボルト孔の加工には非常に高い精度が要求されるという問題もある。
【先行技術文献】
【特許文献】
【０００６】
【特許文献１】特開２００９−９１８１１号公報
【発明の概要】
【発明が解決しようとする課題】
【０００７】
本発明は前記の問題に鑑み、屋外構造物を建物の陸屋根上に強固且つ容易に設置することができ、また長期に亘って確実に屋外構造物を設置できる屋外構造物の取付用基台を提供することを課題とする。
【課題を解決するための手段】
【０００８】
本発明者（ら）は前記課題を解決すべく鋭意検討した結果、建物の陸屋根上に設置固定されていて上面にアンカーボルトが立設されている土台上にそれぞれ載置される、上方側フランジ上に屋外構造物を支持する支持部材が取り付けられる穴加工が施されていないＨ形鋼と、このＨ形鋼を土台上に固定するための固定部材とから屋外構造物の取付用基台を構成させれば、Ｈ形鋼を直接アンカーボルトに固定しようとするとＨ形鋼にアンカーボルト用の穴加工をする必要があるが、アンカーボルトに固定される固定部材を介してＨ形鋼を土台上に固定することによって、穴加工されていないＨ形鋼を利用することが可能となり、またその結果取付用の基材の役目をなすＨ形鋼に穴が無いのでさび等が発生し難く、長期に亘って確実に屋外構造物を設置することができ、またアンカーボルトに固定される固定部材を介して間接的にＨ形鋼を土台上に強固に固定されるように、固定部材を、土台に立設されたアンカーボルトが挿通される長穴が幅方向の中央部であって長手方向に沿って形成されている天板と天板の長手方向と平行な両端部からそれぞれ下向きに直角に折曲されている一対の側板とから成るＨ形鋼押さえ部材と、アンカーボルトに螺合されるナットとから構成させて、Ｈ形鋼押さえ部材の側板の長手方向の一方の端部下端にＨ形鋼の下方側フランジの上面を押さえ付ける爪部を、長手方向の他方の端部に土台の上面に当接されるスカート部をぞれぞれ設ければ、土台上に載置されたＨ形鋼の下方側フランジの上面をＨ形鋼押さえ部材の爪部で押さえ付けることによってＨ形鋼の下方側フランジをＨ形鋼押さえ部材の爪部と土台とでしっかりと挟持することができ、この状態でＨ形鋼押さえ部材をナットによりしっかりと土台に固定することによって、Ｈ形鋼を非常に強固且つ容易に固定することができることを究明して本発明を完成したのである。
【０００９】
即ち本発明は、建物の陸屋根上に設置固定されていて上面にアンカーボルトが立設されている土台上にそれぞれ載置される、上方側フランジ上に屋外構造物を支持する支持部材が取り付けられる穴加工が施されていないＨ形鋼と、Ｈ形鋼を土台上に固定するための固定部材とから成る屋外構造物の取付用基台であって、
固定部材が、土台に立設されたアンカーボルトが挿通される長穴が幅方向の中央部であって長手方向に沿って形成されている天板と天板の長手方向と平行な両端部からそれぞれ下向きに直角に折曲されている一対の側板とから成るＨ形鋼押さえ部材と、アンカーボルトに螺合されるナットとから構成されており、Ｈ形鋼押さえ部材の側板が長手方向の一方の端部下端にＨ形鋼の下方側フランジの上面を押さえ付ける爪部を、長手方向の他方の端部に土台の上面に当接されるスカート部をぞれぞれ有していることを特徴とする屋外構造物の取付用基台である。
【００１０】
またＨ形鋼押さえ部材の天板上に載置される長方形状で且つ中央にアンカーボルト挿通用の穴が穿設されている基板部と、基板部の対向する一対の端部からそれぞれ下向きに直角に折曲されていてＨ形鋼押さえ部材の側板の表面を覆うように位置せしめられる第一折曲部と、基板部の対向する他の一対の端部からそれぞれ上向きに直角に折曲された第二折曲部とから成る固定部材用補強材を更に有するようにすれば、屋外構造物は風による吹き上げ等を受けるとその屋外構造物を支えるＨ形鋼に大きな力が加わりＨ形鋼を押さえ付けているＨ形鋼押さえ部材のアンカーボルト挿通用の穴が穿設されている部分が破損等することがあるが、それぞれ反対側に折曲された第一折曲部と第二折曲部とを有し剛性の高い固定部材用補強材をＨ形鋼押さえ部材のアンカーボルト挿通用の穴が穿設されている部分に装着することで、Ｈ形鋼押さえ部材の破損等を防止することができて好ましいのである。
【発明の効果】
【００１１】
本発明に係る屋外構造物の取付用基台は、建物の陸屋根上に設置固定されていて上面にアンカーボルトが立設されている土台上にそれぞれ載置される、上方側フランジ上に屋外構造物を支持する支持部材が取り付けられる穴加工が施されていないＨ形鋼と、Ｈ形鋼を土台上に固定するための固定部材とから成るから、Ｈ形鋼を直接アンカーボルトに固定しようとするとＨ形鋼にアンカーボルト用の穴加工をする必要があるが、アンカーボルトに固定される固定部材を介してＨ形鋼を土台上に固定することによって穴加工されていないＨ形鋼を利用することが可能となるため取付用の基材となるＨ形鋼には穴が無いのでさび等が発生し難く、長期に亘って確実に屋外構造物を設置することができ、またＨ形鋼はアンカーボルトに固定される固定部材を介して間接的に土台上に強固に固定されるように、固定部材が、土台に立設されたアンカーボルトが挿通される長穴が幅方向の中央部であって長手方向に沿って形成されている天板と天板の長手方向と平行な両端部からそれぞれ下向きに直角に折曲されている一対の側板とから成るＨ形鋼押さえ部材と、アンカーボルトに螺合されるナットとから構成されており、Ｈ形鋼押さえ部材の側板の長手方向の一方の端部下端にＨ形鋼の下方側フランジの上面を押さえ付ける爪部を、長手方向の他方の端部に土台の上面に当接されるスカート部をぞれぞれ有しているから、土台上に載置されたＨ形鋼の下方側フランジの上面をＨ形鋼押さえ部材の爪部で押さえ付けることによって、Ｈ形鋼の下方側フランジをＨ形鋼押さえ部材の爪部と土台とでしっかりと挟持することができ、この状態でＨ形鋼押さえ部材をナットによりしっかりと土台に固定することによって、Ｈ形鋼を非常に強固且つ容易に固定することができるのである。
【００１２】
また、Ｈ形鋼押さえ部材の天板上に載置される長方形状で且つ中央にアンカーボルト挿通用の穴が穿設されている基板部と、基板部の対向する一対の端部からそれぞれ下向きに直角に折曲されていてＨ形鋼押さえ部材の側板の表面を覆うように位置せしめられる第一折曲部と、基板部の対向する他の一対の端部からそれぞれ上向きに直角に折曲された第二折曲部とから成る固定部材用補強材を更に有する態様では、屋外構造物は風による吹き上げ等を受けるとその屋外構造物を支えるＨ形鋼に大きな力が加わりＨ形鋼を押さえ付けているＨ形鋼押さえ部材のアンカーボルト挿通用の穴が穿設されている部分が破損等することがあるが、それぞれ反対側に折曲された第一折曲部と第二折曲部とを有し剛性の高い固定部材用補強材をＨ形鋼押さえ部材に装着することで、固定部材の破損等を防止することができて好ましいのである。
【図面の簡単な説明】
【００１３】
【図１】本発明に係る屋外構造物の取付用基台に屋外構造物を支持する支持部材が取り付けられている様子を示す側面図である。
【図２】図１の部分拡大側面図である。
【図３】図２の部分拡大平面図である。
【図４】図１の斜視図である。
【発明を実施するための形態】
【００１４】
以下、図面を用いて本発明に係る屋外構造物の取付用基台について詳細に説明する。
【００１５】
図面中、Ｘは建物の陸屋根、Ｙはアンカーボルト、Ｚは建物の陸屋根Ｘ上に設置固定されていて上面にアンカーボルトＹが立設されている土台である。
【００１６】
１は、土台Ｚ上に載置され、上方側フランジ1a上に屋外構造物を支持する支持部材が取り付けられる穴加工が施されていないＨ形鋼である。このようなＨ形鋼１としては特殊な材質・形状のものである必要はなく、穴加工が施されていない一般的なものが使用できるが、さびの発生を防止するために亜鉛のドブ付けめっきが施されていることが好ましい。また２はこのＨ形鋼１を土台Ｚ上に固定するための固定部材である。本発明に係る屋外構造物の取付用基台はＨ形鋼１と固定部材２とから成る。なお固定部材２は後述する、Ｈ形鋼１の下方側フランジ1bの上面を押さえ付けるためのＨ形鋼押さえ部材３と、土台Ｚの上面に立設されたアンカーボルトＹに螺合させてＨ形鋼押さえ部材３を固定するためのナット４とから構成されている。
【００１７】
３は、土台Ｚに立設されたアンカーボルトＹが挿通される長穴3aaが幅方向の中央部であって長手方向に沿って形成されている天板3aとこの天板3aの長手方向と平行な両端部からそれぞれ下向きに直角に折曲されている一対の側板3bとから成るＨ形鋼押さえ部材であり、４はアンカーボルトＹに螺合されるナットである。
【００１８】
５及び６はそれぞれＨ形鋼押さえ部材３の側板3bに設けられていて、５は側板3bの長手方向の一方の端部下端に設けられているＨ形鋼１の下方側フランジ1bの上面を押さえ付ける爪部であり、６は側板3bの長手方向の他方の端部に設けられている土台Ｚの上面に当接されるスカート部である。
【００１９】
７はＨ形鋼押さえ部材３の天板3a上に載置される長方形状で且つ中央にアンカーボルト挿通用の穴7aaが穿設されている基板部7aと、この基板部7aの対向する一対の端部からそれぞれ下向きに直角に折曲されていてＨ形鋼押さえ部材３の側板3bの表面を覆うように位置せしめられる第一折曲部7bと、基板部7aの対向する他の一対の端部からそれぞれ上向きに直角に折曲された第二折曲部7cとから成る固定部材用補強材である。
【００２０】
このような本発明に係る屋外構造物の取付用基台によって、実際に屋外構造物を設置固定するには、先ず陸屋根Ｘ上に屋外構造物の取付用基台を固定するためのアンカーボルトＹを立設した土台Ｚを設置する必要がある。新たに建物を建てる場合には、設計段階でアンカーボルトＹを立設する土台Ｚの設置を予定し、実際の施工の際にアンカーボルトＹを立設した土台Ｚを設置すればよく、また既設の建物の場合であっては、既設の陸屋根Ｘ上に特開２００６−２３３５７９号公報「構造物の基礎」に開示されているようなアンカーボルトＹを立設した土台Ｚを新たに設置すればよい。
【００２１】
次に、この土台Ｚ上にＨ形鋼１をその下方側フランジ1bの下面を当接させるようにして載置する。そして図３の如く、固定部材２を構成するＨ形鋼押さえ部材３の天板3aには、その幅方向の中央部であって長手方向に沿って長穴3aaが形成されているから、この長穴3aaに土台Ｚに立設されたアンカーボルトＹを挿通させる。更にこのようにアンカーボルトＹを長穴3aaに挿通させた状態で、Ｈ形鋼押さえ部材３をスライドさせて、Ｈ形鋼押さえ部材３の側板3bの一方の端部下端に形成された爪部５をＨ形鋼１の下方側フランジ1bの上面上に位置させると共にＨ形鋼押さえ部材３の側板3bの他方の端部に形成されたスカート部６の下面を土台Ｚの上面に当接させる。そしてＨ形鋼押さえ部材３の長穴3aaから突出したアンカーボルトＹにナット４を螺合させて固定部材２を固定するのである。
【００２２】
このように本発明に係る屋外構造物の取付用基台は、Ｈ形鋼押さえ部材３の長穴3aaにアンカーボルトＹを挿通させ、位置決めをした後にナット４を螺合させるだけで非常に容易に固定することができ、またＨ形鋼１はその下方側フランジ1bがＨ形鋼押さえ部材３の爪部５と土台Ｚとでしっかりと挟持され、この状態でＨ形鋼押さえ部材３がナット４によりしっかりと土台Ｚに固定されるので、Ｈ形鋼１を非常に強固に固定することができるのである。
【００２３】
なお従来のようなＨ形鋼１にアンカーボルトＹ用の穴部を複数穿設して、複数のアンカーボルトＹを同時にそれぞれの穴部に挿入して固定するような場合に比べ、本発明に係る屋外構造物の取付用基台では、各Ｈ形鋼押さえ部材３は、その長穴3aa毎にそれぞれ１本のアンカーボルトＹが挿通されるだけであるから、アンカーボルトＹの立設位置が多少ずれているような場合であって、容易に設置することができ、またＨ形鋼押さえ部材３に長穴3aaを穿設する際も高い加工精度は必要とされないので、簡便に作製することができるのである。
【００２４】
またアンカーボルトＹにナット４を螺合させる際に、図１〜４の如く、アンカーボルトＹに固定部材用補強材７を取り付けてナット４を螺合させれば、固定部材用補強材７は、下向きに直角に折曲された一対の第一折曲部7bと上向きに直角に折曲された一対の第二折曲部7cとを有し剛性が高いから、Ｈ形鋼押さえ部材３が大きな力を受けたような場合でもＨ形鋼押さえ部材３の破損等を十分に防止することができて好ましいのである。
【００２５】
更に実際に屋外構造物を設置固定するには、土台Ｚ上に固定されたＨ形鋼１の上方側フランジ1a上に、屋外構造物を支持する支持部材を取り付ける必要がある。その支持部材の取付方法に関しては特に限定はないが、穴加工が施されていないＨ形鋼１を使用するためには、上方側フランジ1aに対しても穴加工をすることなく支持部材を取り付ける必要がある。そこで、例えば、Ｈ形鋼１の上方側フランジ1aを挟持するようにして装着される取付具に支持部材を別途取り付けて固定すればよい。
【符号の説明】
【００２６】
Ｘ  陸屋根
Ｙ  アンカーボルト
Ｚ  土台
１  Ｈ形鋼
1a  上方側フランジ
1b  下方側フランジ
２  固定部材
３  Ｈ形鋼押さえ部材
3a  天板
3aa  長穴
3b  側板
４  ナット
５  爪部
６  スカート部
７  固定部材用補強材
7a  基板部
7aa  アンカーボルト挿通用の穴
7b  第一折曲部
7c  第二折曲部
【図１】
2011106203.tif 000003
【図２】
2011106203.tif 000004
【図３】
2011106203.tif 000005
【図４】
2011106203.tif 000006